(57)【要約】      （修正有）【課題】屋上緑化構造において、ハウス栽培用アーチ状骨材を強固且つ容易に据え付ける構造を提供する。【解決手段】各支持台列群２４Ａにおける各支持台２４を、緑化支援層６を貫通して各支持台２４と屋上スラブ面２との間を跨ぐ留め具を用いることにより、緑化支援層６を介して該屋上スラブ面に押圧固定し、その各支持台列群２４Ａにおける各支持台２４の上端面に、ハウス栽培用アーチ状骨材５０を保持するための保持部材３６をそれぞれ設ける。これにより、アーチ状骨材５０の端部を保持するものとして、緑化支援層６よりも剛性が高く且つ屋上スラブ面２に緑化支援層６を介してしっかりと固定された支持台２４が用いられるようにする。また、アーチ状骨材５０の端部を保持する保持部材３６を支持台２４の上端面に設けることにより、土壌に埋もれることを抑制し、その保持部材３６の視認性を高める。【選択図】図１
2012254035.tif 000002
【特許請求の範囲】
【請求項１】
屋上床面上に複数の緑化支援パネルを敷設することにより緑化支援層が形成され、該緑化支援層上に土壌が配設される屋上緑化構造において、
前記緑化支援層上に、一対の支持台列群が互いに離間した状態をもって配置され、
前記各支持台列群が、前記緑化支援層よりも剛性が高められた複数の支持台を間隔をあけつつ列をなすように立設配置することにより構成され、
前記各支持台列群における各支持台が、前記緑化支援層を貫通して該各支持台と前記屋上床面との間を跨ぐ留め具を用いることにより、該緑化支援層を介して該屋上床面に押圧固定され、
前記各支持台列群における各支持台の上端面には、ハウス栽培用アーチ状骨材を保持するための保持部がそれぞれ備えられている、
ことを特徴とする屋上緑化構造。
【請求項２】
請求項１において、
前記各支持台の下端面が、隣り合う緑化支援パネルを跨ぐように配置されて、該各支持台の下端面が該隣り合う緑化支援パネルを前記屋上床面に押圧するように設定されている、
ことを特徴とする屋上緑化構造。
【請求項３】
請求項２において、
前記各緑化支援パネルが平面視四角形状に形成され、
前記屋上床面に前記各緑化支援パネルが、該各緑化支援パネルの角部の周縁部に他の緑化支援パネルの角部が集合するように敷き詰められて、角部集合部が構成され、
前記角部集合部が、一対の離間した列をもって、該各列において間隔をあけつつ複数配置される構成とされ、
前記各角部集合部上に前記各支持台が、該各支持台の下端面が該各集合部における全ての角部上面と当接するようにそれぞれ配置され、
前記各支持台が、前記各角部集合部における各緑化支援パネルの全ての角部を前記屋上床面に向けて押圧している、
ことを特徴とする屋上緑化構造。
【請求項４】
請求項３において、
前記各支持台が、前記緑化支援層よりも剛性が高められた連結板を介して該各角部集合部上にそれぞれ配置され、
前記各支持台と前記各連結板とが、前記留め具を共通の留め具として利用することにより、前記各角部集合部を介して前記屋上床面に固定されている、
ことを特徴とする屋上緑化構造。
【請求項５】
屋上床面上に複数の緑化支援パネルを敷設することにより緑化支援層が形成され、該緑化支援層上に土壌が配設されている屋上緑化構造において、
前記緑化支援層上に、一対の連結板列群が互いに離間した状態をもって配置され、
前記各連結板列群が、前記緑化支援層よりも剛性が高められた複数の連結板を間隔をあけつつ列をなす配置状態をもって該緑化支援層上面に固定する構成とされ、
前記各連結板の上面に、前記緑化支援層よりも剛性が高められた支持台が立設した状態でそれぞれ固定されて、一対の支持台列群が構成され、
前記各支持台の上端面には、ハウス栽培用アーチ状骨材を保持するための保持部がそれぞれ備えられている、
ことを特徴とする屋上緑化構造。
【請求項６】
請求項５において、
前記各緑化支援パネルが平面視四角形状に形成され、
前記屋上床面に前記各緑化支援パネルが、該各緑化支援パネルの角部の周縁部に他の緑化支援パネルの角部が集合するように敷き詰められて、角部集合部が構成され、
前記角部集合部が、一対の離間した列をもって、該各列において間隔をあけつつ複数配置される構成とされ、
前記各角部集合部上面に前記連結板がそれぞれ配置され、
前記各角部集合部の下面側に、前記各連結板に対向して連結下板がそれぞれ配置され、
前記各支持台と前記各連結下板とが、前記各角部集合部を貫通して該各支持台と該連結下板との間を跨ぐ留め具を用いることにより、該各角部集合部及び前記各連結板を挟持している、
ことを特徴とする屋上緑化構造。
【請求項７】
請求項１又は５において、
前記各保持部が、前記土壌上に露出され、
前記各保持部が、前記ハウス栽培用アーチ状骨材の端部を挿入保持できる保持穴を上方に向けて開口しており、
前記保持穴は、前記一対の支持台列群の離間方向に延びると共に、該一対の支持台列群の離間方向に向かうに従って該支持台列群の支持台配置方向の長さが短くなるように設定されている、
ことを特徴とする屋上緑化構造。
【請求項８】
請求項７において、
前記ハウス栽培用アーチ状骨材の端部には、その先端部がその先端部よりも軸心延び方向内方側部分をなす主部よりも拡径されることにより、該先端部と該主部との間に抜け止め段部が形成され、
前記保持穴が、前記一対の支持台列群の離間方向内方側において前記ハウス栽培用アーチ状骨材の端部が挿入可能とされる初期挿入穴部と、該初期挿入穴部よりも該一対の支持台列群の離間方向外方側において、該初期挿入穴部の下部に連続して該ハウス栽培用アーチ状骨材の先端部の進入を許容する先端部進入穴部と、該先端部進入穴部の上方側に位置されて、該支持台列群の支持台配置方向の長さに関し、該先端部進入穴部よりも狭めることにより、前記先端部の進入を拒み前記主部の進入を許容する主部進入穴部と、を有しており、
前記先端部進入穴部と前記主部進入穴部との間に、前記抜け止め段部を係止するための係止段部が形成されている、
ことを特徴とする屋上緑化構造。
【請求項９】
請求項１又は５において、
前記支持台が、一定幅を維持する底板部と、その底板部の幅方向両側からそれぞれ起立する一対の側板部と、その一対の側板部の上端部を跨ぐ上板部と、を一体的に備えており、
前記保持部は、前記上板部において前記一対の支持台列群の離間方向に向かって延びるように形成される長孔と、前記支持台の内部に、前記長孔の幅方向両側において配置される一対のガイド壁と、により構成され、
前記長孔が、該長孔の延び方向一方側である前記一対の支持台列群の離間方向内方側において、前記ハウス栽培用アーチ状骨材の端部を遊嵌状態をもって挿入する初期挿入孔部と、該初期挿入孔部から連続し該長孔の延び方向他方側に向かうに従って該長孔の長孔幅が狭まる保持孔部と、を有しており、
前記一対のガイド壁の間隔が、前記長孔に対応して、該長孔の延び方向一方側から該長孔の延び方向他方側に向かうに従って狭まるように設定され、
前記一対のガイド壁の間隔が、前記長孔の幅方向長さよりも長くされている、
ことを特徴とする屋上緑化構造。
【請求項１０】
請求項９において、
前記支持台における一対の側板部の並設方向が前記一対の支持台列群の接近・離間方向に向けられ、
前記一対のガイド壁が、該一対のガイド壁の先端を跨ぐ連結板部により一体化され、
前記連結板部が、前記支持台における一対の側板部のうち、前記一対の支持台列群の離間方向外方側の側板部に合わせた状態で連結されている、
ことを特徴とする屋上緑化構造。
【請求項１１】
請求項９において、
前記支持台における一対の側板部間の開口の並設方向が前記一対の支持台列群の接近・離間方向に向けられ、
前記一対のガイド壁間が、前記支持台の延び方向他端側開口を介して外部に開放されている、
ことを特徴とする屋上緑化構造。
【請求項１２】
請求項１１において、
前記一対のガイド壁の下端が、前記支持台の底板部から所定間隔、離間されている、
ことを特徴とする屋上緑化構造。
【請求項１３】
請求項４において、
前記支持台が、角パイプ状に延ばされ、
前記連結板の上面に複数のリブが放射状に突設され、
前記共通の留め具が、前記連結板の複数のリブの放射中心部を貫通した状態で、前記支持台の延び方向一端側を前記屋上床面に固定しており、
前記支持台の延び方向他方側が、前記一対の支持台列群の離間方向外方に向けられ、
前記支持台の下面に回動規制部材が、前記連結板の隣り合うリブ間に配置されるようにして設けられている、
ことを特徴とする屋上緑化構造。
【発明の詳細な説明】
【技術分野】
【０００１】
本発明は、屋上の緑化を図る屋上緑化構造に関する。
【背景技術】
【０００２】
近年、複数の緑化支援パネルを用いて屋上の緑化（植物の栽培）を図り、屋上からの熱の吸収、放出を緩和することが行われている。この緑化支援パネルとしては、特許文献１に示すように、基板部上に複数の嵩上げ部を上方に突出した状態で一体的に設け、該複数の嵩上げ部の隣り合う側面により植栽基盤材（土壌等）を収納するための植栽基盤材収納部を格子状に区画するものが提案されている。このものにおいては、植栽基盤材を、主として限られた植栽基盤材収納部内に充填して使用することから、嵩上げ部に相当する分の植栽基盤材を減らすことができる。このため、この緑化支援パネルを用いた場合には、基盤が植栽基盤材のみで構成されている場合に比べて、屋上の設置面に作用する荷重を著しく減少させることができる。
【０００３】
ところで、屋上緑化においては、付加価値緑化として、最近、野菜作りが行われる傾向にある。このため、野菜を栽培するにあたっては、保温や虫除けのために、アーチ状骨材（支柱）を間隔をあけて複数立てて、それにビニールや寒冷紗を被せることが不可欠となり、上記緑化支援パネルを用いた屋上緑化構造においても、骨材をアーチ状に立てることが必要となる。
【先行技術文献】
【特許文献】
【０００４】
【特許文献１】特開２００８−１７８５０号公報
【発明の概要】
【発明が解決しようとする課題】
【０００５】
しかし、上記緑化支援パネルを用いた屋上緑化構造においては、土壌として一般に軽量土壌が用いられるばかりか、緑化支援パネル上の土壌の土厚が比較的薄くなることから、アーチ状骨材を立てるべく、その骨材の端部を土壌に突き刺しても、しっかりと固定することができない。
仮に、アーチ状骨材の端部を緑化支援パネルにまで突き刺すとしても、緑化支援パネルが発泡樹脂体により形成されている場合には、その強度は非常に弱く、アーチ状骨材を立てたとしても、その骨材の上に被せるビニールや寒冷紗の荷重により、また、風等の外力により、骨材端部を介して緑化支援パネルが破断し、骨材端部と緑化支援パネルとの支持関係を維持することができなくなるおそれがある（耐久性の問題）。
上記問題点に対する対策としては、緑化支援パネルを強固な材質（例えば木材）で形成することが考えられる。しかし、その場合には、骨材の端部を緑化支援パネルにまで突き刺すことができず、予め緑化支援パネルにその骨材の端部を挿入するための支持穴を形成しておかなければならない。しかも、仮に、その支持穴を強固な緑化支援パネルに形成したとしても、その支持穴は、緑化支援パネル上に配設される土壌に覆われることになり、野菜栽培を行おうとする栽培者は支持穴を視認することができず、アーチ状骨材の端部をその支持穴に挿入支持することは容易にはできない。
【０００６】
本発明は以上のような事情を勘案してなされたもので、その技術的課題は、屋上床面上に複数の緑化支援パネルが敷設されて緑化支援層が形成され、該緑化支援層上に土壌が配設される屋上緑化構造において、ハウス栽培用アーチ状骨材を強固且つ容易に据え付けることにある。
【課題を解決するための手段】
【０００７】
前記技術的課題を達成するために本発明（請求項１に係る発明）にあっては、
屋上床面上に複数の緑化支援パネルを敷設することにより緑化支援層が形成され、該緑化支援層上に土壌が配設される屋上緑化構造において、
前記緑化支援層上に、一対の支持台列群が互いに離間した状態をもって配置され、
前記各支持台列群が、前記緑化支援層よりも剛性が高められた複数の支持台を間隔をあけつつ列をなすように立設配置することにより構成され、
前記各支持台列群における各支持台が、前記緑化支援層を貫通して該各支持台と前記屋上床面との間を跨ぐ留め具を用いることにより、該緑化支援層を介して該屋上床面に押圧固定され、
前記各支持台列群における各支持台の上端面には、ハウス栽培用アーチ状骨材を保持するための保持部がそれぞれ備えられている、
構成とされている。この請求項１の好ましい態様としては、請求項２〜４、及び請求項７以下の記載の通りとなる。
【０００８】
前記第２の技術的課題を達成するために本発明（請求項５に係る発明）にあっては、
屋上床面上に複数の緑化支援パネルを敷設することにより緑化支援層が形成され、該緑化支援層上に土壌が配設されている屋上緑化構造において、
前記緑化支援層上に、一対の連結板列群が互いに離間した状態をもって配置され、
前記各連結板列群が、前記緑化支援層よりも剛性が高められた複数の連結板を間隔をあけつつ列をなす配置状態をもって該緑化支援層上面に固定する構成とされ、
前記各連結板の上面に、前記緑化支援層よりも剛性が高められた支持台が立設した状態でそれぞれ固定されて、一対の支持台列群が構成され、
前記各支持台の上端面には、ハウス栽培用アーチ状骨材を保持するための保持部がそれぞれ備えられている構成とされている。この請求項５の好ましい態様としては、請求項６以下の記載の通りとなる。
【発明の効果】
【０００９】
本発明（請求項１に係る発明）によれば、一対の各支持台列群が、緑化支援層よりも剛性が高められた複数の支持台を間隔をあけつつ列をなすように立設配置することにより構成され、その各支持台列群における各支持台が、緑化支援層を貫通して各支持台と屋上床面との間を跨ぐ留め具を用いることにより、緑化支援層を介して該屋上床面に押圧固定され、その各支持台列群における各支持台の上端面に、ハウス栽培用アーチ状骨材を保持するための保持部がそれぞれ備えられていることから、アーチ状骨材の端部を保持するものとして、緑化支援層よりも剛性が高く且つ屋上床面に緑化支援層を介してしっかりと固定された支持台が用いられることになり、その支持台に保持部を介してアーチ状骨材の端部を強固に保持できる。
また、アーチ状骨材の端部を保持する保持部は、緑化支援層上に立設される支持台の上端面に設けられることにより、土壌に埋もれることが抑制され、その保持部の視認性を高めることができる。
このため、ハウス栽培用アーチ状骨材を強固且つ容易に据え付けることができる屋上緑化構造を提供できる。
【００１０】
請求項２に係る発明によれば、各支持台の下端面が、隣り合う緑化支援パネルを跨ぐように配置されて、各支持台の下端面が隣り合う緑化支援パネルを屋上床面に押圧するように設定されていることから、各支持台を利用して、隣り合う緑化支援パネルの屋上床面に対する押圧固定をそれぞれ行うことができる。
【００１１】
請求項３に係る発明によれば、各緑化支援パネルが平面視四角形状に形成され、屋上床面に各緑化支援パネルが、各緑化支援パネルの角部の周縁部に他の緑化支援パネルの角部が集合するように敷き詰められて、角部集合部が構成され、角部集合部が、一対の離間した列をもって、該各列において間隔をあけつつ複数配置される構成とされ、各角部集合部上に各支持台が、各支持台の下端面が各集合部における全ての角部上面と当接するようにそれぞれ配置され、各支持台が、各角部集合部における各緑化支援パネルの全ての角部を屋上床面に向けて押圧していることから、各支持台を利用して、角部集合部を構成する４枚の緑化支援パネルの角部を屋上床面に対して押圧固定でき、屋上床面に対する緑化支援パネルの固定に際して、支持台を最も効果的に利用できる。
【００１２】
請求項４に係る発明によれば、各支持台が、緑化支援層よりも剛性が高められた連結板を介して各角部集合部上にそれぞれ配置され、各支持台と各連結板とが、留め具を共通の留め具として利用することにより、各角部集合部を介して屋上床面に固定されていることから、支持台の下面の面積が小さくても、広い面積の連結板を用いることにより、角部集合部を広い面積をもって屋上床面に押圧固定することができる。このため、屋上床面に対する各緑化支援パネルの固定をより確実に行うことができる。
しかも、各支持台と各連結板とを各角部集合部を介して屋上床面に固定するに際して、共通の留め具を利用することから、使用留め具数を減らすことができる。
【００１３】
請求項５に係る発明によれば、屋上床面上に複数の緑化支援パネルを敷設することにより緑化支援層が形成され、該緑化支援層上に土壌が配設されている屋上緑化構造において、前記緑化支援層上に、一対の連結板列群が互いに離間した状態をもって配置され、前記各連結板列群が、前記緑化支援層よりも剛性が高められた複数の連結板を間隔をあけつつ列をなす配置状態をもって該緑化支援層上面に固定する構成とされ、前記各連結板の上面に、前記緑化支援層よりも剛性が高められた支持台が立設した状態でそれぞれ固定されて、一対の支持台列群が構成され、前記各支持台の上端面には、ハウス栽培用アーチ状骨材を保持するための保持部がそれぞれ備えられていることから、緑化支援層よりも剛性が高い連結板上に同じく緑化支援層よりも剛性が高い支持台が固定されることになり、その支持台に保持部を介してアーチ状骨材の端部を強固に保持できる。
また、アーチ状骨材の端部を保持する保持部は、緑化支援層上に立設される支持台の上端面に設けられることにより、土壌に埋もれることが抑制され、その保持部の視認性を高めることができる。
このため、ハウス栽培用アーチ状骨材を強固且つ容易に据え付けることができる屋上緑化構造を提供できる。
この場合、各緑化支援パネルを、その上面側に配設される土壌の荷重により、屋上床面に押圧固定できる。
【００１４】
請求項６に係る発明によれば、各緑化支援パネルが平面視四角形状に形成され、屋上床面に各緑化支援パネルが、各緑化支援パネルの角部の周縁部に他の緑化支援パネルの角部が集合するように敷き詰められて、角部集合部が構成され、角部集合部が、一対の離間した列をもって、各列において間隔をあけつつ複数配置される構成とされ、各角部集合部上面に連結板がそれぞれ配置され、各角部集合部の下面側に、各連結板に対向して連結下板がそれぞれ配置され、各支持台と各連結下板とが、各角部集合部を貫通して各支持台と連結下板との間を跨ぐ留め具を用いることにより、各角部集合部及び各連結板を挟持していることから、各連結板、各連結下板及び各支持台による挟持に基づき、各緑化支援パネルを連結した一体化物にすることができると共に、その大きな一体化物に各支持台を固定できる。このため、屋上床面に対する各支持台の安定化を図ることができる。
【００１５】
請求項７に係る発明によれば、各保持部が土壌上に露出されていることから、栽培者は保持部を上方から視認することができ、アーチ状骨材の端部をその保持部に容易に保持できる。
また、各保持部がハウス栽培用アーチ状骨材の端部を挿入保持できる保持穴を上方に向けて開口しており、保持穴は、一対の支持台列群の離間方向に延びると共に、一対の支持台列群の離間方向に向かうに従って支持台列群の支持台配置方向の長さが短くなるように設定されていることから、一般に可撓性を有して拡縮するハウス栽培用アーチ状骨材の両端部の径が所定の範囲でどのようなものであっても、外力を加えて、そのハウス栽培用アーチ状骨材を多少、縮径するように撓めた状態にしつつ、各端部を各保持穴のうち、一対の支持台列群の離間方向内方側に挿入し、その後、ハウス栽培用アーチ状骨材に対する外力を解除すれば、その各端部は、ハウス栽培用アーチ状骨材の反発力に基づき、保持穴内において一対の支持台列群の離間方向外方に向けて移動し、その移動は、その端部の径よりも短い間隔（支持台列群の支持台配置方向の長さ）の保持穴の対向内壁に当接して規制され、各端部は、保持穴の対向内壁に付勢された状態で保持される。このため、ハウス栽培用アーチ状骨材の両端部の径が所定の範囲でどのようなものであっても、簡単に保持穴に保持できる。
【００１６】
請求項８に係る発明によれば、ハウス栽培用アーチ状骨材の端部には、その先端部がその先端部よりも軸心延び方向内方側部分をなす主部よりも拡径されることにより、該先端部と該主部との間に抜け止め段部が形成され、保持穴が、一対の支持台列群の離間方向内方側においてハウス栽培用アーチ状骨材の端部が挿入可能とされる初期挿入穴部と、初期挿入穴部よりも一対の支持台列群の離間方向外方側において、初期挿入穴部の下部に連続してハウス栽培用アーチ状骨材の先端部の進入を許容する先端部進入穴部と、先端部進入穴部の上方側に位置されて、支持台列群の支持台配置方向の長さに関し、先端部進入穴部よりも狭めることにより、先端部の進入を拒み主部の進入を許容する主部進入穴部と、を有しており、先端部進入穴部と主部進入穴部との間に、抜け止め段部を係止するための係止段部が形成されていることから、ハウス栽培用アーチ状骨材の端部を保持穴の初期挿入穴部に挿入した後、先端部を先端部進入穴部、その先端部よりも軸心延び方向内方側部分をなす主部を主部進入穴部にそれぞれ進入させれば、保持穴の対向内壁により付勢状態で保持されると共に、抜け止め段部が係止段部に係止されて、上方にハウス栽培用アーチ状骨材の端部が抜けることを防止できる。
【００１７】
請求項９に係る発明によれば、支持台が、一定幅を維持する底板部と、その底板部の幅方向両側からそれぞれ起立する一対の側板部と、その一対の側板部の上端部を跨ぐ上板部と、を一体的に備えており、保持部は、上板部において一対の支持台列群の離間方向に向かって延びるように形成される長孔と、支持台の内部に、長孔の幅方向両側において配置される一対のガイド壁と、により構成され、長孔が、長孔の延び方向一方側である一対の支持台列群の離間方向内方側において、ハウス栽培用アーチ状骨材の端部を遊嵌状態をもって挿入する初期挿入孔部と、初期挿入孔部から連続し長孔の延び方向他方側に向かうに従って長孔の長孔幅が狭まる保持孔部と、を有しており、一対のガイド壁の間隔が、長孔に対応して、長孔の延び方向一方側から長孔の延び方向他方側に向かうに従って狭まるように設定されていることから、一般に可撓性を有して拡縮するハウス栽培用アーチ状骨材の両端部の径が所定の範囲でどのようなものであっても、外力を加えて、そのハウス栽培用アーチ状骨材を多少、縮径するように撓めた状態にしつつ、各端部を各長孔の初期挿入孔部を経て支持台内に挿入し、その後、ハウス栽培用アーチ状骨材に対する外力を解除すれば、その各端部は、ハウス栽培用アーチ状骨材の反発力に基づき、長孔及び支持台内において一対の支持台列群の離間方向外方に向けて移動し、その移動は、その端部の径よりも短い間隔（支持台列群の支持台配置方向の長さ）の長孔の対向壁及び一対のガイド壁に当接して規制され、各端部は、長孔の対向壁及び一対のガイド壁に付勢された状態で保持される。このため、ハウス栽培用アーチ状骨材の両端部の径が所定の範囲でどのようなものであっても、簡単に保持部に保持できる。
しかも、保持部を、簡単な一対のガイド壁、支持台の内部空間、上板部に形成される長孔を利用することにより構成できることになり、複雑な保持穴を加工する必要性をなくすことができる。
また、一対のガイド壁の間隔が長孔の幅方向長さよりも長くされていることから、長孔の幅方向内壁と一対のガイド壁との段部が形成されることになり、その段部を、ハウス栽培用アーチ状骨材の端部のうち、抜け止め段部を備えるもの（端部において、先端部が拡径されて、その先端部とその先端部よりも軸心延び方向内方側部分をなす主部との間に抜け止め段部があるもの）に対する係止段部として機能させることができる。
【００１８】
請求項１０に係る発明によれば、支持台における一対の側板部の並設方向が前記一対の支持台列群の接近・離間方向に向けられ、一対のガイド壁が、一対のガイド壁の先端を跨ぐ連結板部により一体化され、連結板部が、支持台における一対の側板部のうち、前記一対の支持台列群の離間方向外方側の側板部に合わせた状態で連結されていることから、支持台における一対の側板部を、連結板部（及び一対のガイド壁）を固定するための固定部として有効に利用できる。
また、支持台を初めとして、一対のガイド壁とその先端部を連結した連結板部とからなるものを、押し出し成形により簡単に製造することができ、製造コストを低く抑えることができる。
【００１９】
請求項１１に係る発明によれば、支持台における一対の側板部間の開口の並設方向が一対の支持台列群の接近・離間方向に向けられ、一対のガイド壁間が、支持台の延び方向他端側開口を介して外部に開放されていることから、使用に際して、土壌が長孔から支持台内に進入しても、その土壌を棒材等を用いて支持台の延び方向外方側に押し出すことができ、保持穴の状態を、ハウス栽培用アーチ状骨材の端部を保持できる状態に戻すことができる。
【００２０】
請求項１２に係る発明によれば、一対のガイド壁の下端が支持台の底板部から所定間隔、離間されていることから、土壌が長孔を介して一対のガイド壁間に進入した場合、その一対のガイド壁間が比較的狭いことから、一対のガイド壁間で土壌がいわゆるブリッジを形成して詰まり易い状況にあるが、仮に土壌が詰まっても、その土壌を棒材等により一対のガイド壁下端よりも下方側の広い空間に簡単に落とし込み、それを支持台の開口側に押し出すことができる。このため、一対のガイド壁間に土壌が詰まっても、保持穴の状態を、ハウス栽培用アーチ状骨材の端部を保持できる状態に直ぐに戻すことができる。
【００２１】
請求項１３に係る発明によれば、支持台が角パイプ状に延ばされ、連結板の上面に複数のリブが放射状に突設され、共通の留め具が連結板の複数のリブの放射中心部を貫通した状態で支持台の延び方向一端側を屋上床面に固定しており、支持台の延び方向他方側が一対の支持台列群の離間方向外方に向けられ、支持台の下面に回動規制部材が連結板の隣り合うリブ間に配置されるようにして設けられていることから、角パイプ状の支持台の延び方向一端側が留め具により屋上床面に固定されて、その留め具を中心として回動しやすくなるが、支持台における回転規制部材が連結板のリブ（側面）に当接して、留め具を中心とした支持台の回動を確実に規制できる。
【図面の簡単な説明】
【００２２】
【図１】第１実施形態に係る緑化支援構造を説明する説明図。
【図２】第１実施形態に係る緑化支援構造を示す平面図。
【図３】第１実施形態に係る緑化支援構造の要部を説明する説明図。
【図４】図１のＸ４−Ｘ４拡大断面図。
【図５】図１のＸ５−Ｘ５拡大断面図。
【図６】第１実施形態に係る屋上緑化構造における緑化支援層上に保護マットが敷設されている状態を示す斜視図。
【図７】第１実施形態に係る屋上緑化構造における土壌の盛り具合を説明する説明図。
【図８】支持台、受けレールに対する保持部材の取付けを説明する説明図。
【図９】受けレール上に保持部材が取付けられた状態を示す平面図。
【図１０】第１実施形態に係る保持部材を示す平面図。
【図１１】図１０のＸ１１−Ｘ１１線断面図。
【図１２】第１実施形態に係る保持部材の取り外しを説明する説明図。
【図１３】緑化支援構造の変形例（２畝タイプ）を示す平面図。
【図１４】図１３の緑化支援構造における土壌の盛り具合を説明する説明図。
【図１５】第２実施形態に係る緑化支援構造を説明する説明図。
【図１６】第２実施形態に係る緑化支援構造の要部を説明する説明図。
【図１７】第２実施形態に係る緑化支援構造の要部を説明する縦断面図。
【図１８】第２実施形態に係る支持台に対するガイド部材の組み付けを説明する説明図。
【図１９】第２実施形態に係る支持台を示す平面図。
【図２０】第２実施形態に係る緑化支援構造の使用状態を説明する説明図
【図２１】第３実施形態に係る緑化支援構造を説明する説明図。
【図２２】第３実施形態に係る緑化支援構造の要部を示す平面図。
【図２３】図２２のＸ２３−Ｘ２３線断面図。
【図２４】第３実施形態に係る支持台に対するガイド部材等の組み付けを説明する説明図。
【発明を実施するための形態】
【００２３】
以下、本発明の実施形態について、図面に基づいて説明する。
図１において、符号１は、屋上のスラブ面に設置されて野菜栽培が行われる屋上緑化構造を示す。この屋上緑化構造１においては、屋上のスラブ面２に耐根シート３が敷かれており、その耐根シート３上に複数の仕切用レンガ４を設置することにより、平面視長方形状の栽培領域Ｓが区画されている。
【００２４】
前記栽培領域Ｓにおける耐根シート３上には、図１，図２に示すように、平面視四角形状（正方形状、長方形状）の複数の緑化支援パネル５が、縦方向（屋上面の水勾配に沿う方向）Ｙ及び横方向Ｘ（屋上面においてその水勾配に沿う方向に直交する方向）に列をなすようにして敷き詰められている。各緑化支援パネル５は、その隣り合うものの側面同士全体が互いに対向した状態で当接されており、栽培領域Ｓにおいては、多数の緑化支援パネル５は、耐根シート３全体を覆って緑化支援層６を構成している。
【００２５】
前記各緑化支援パネル５としては、樹脂成形体が用いられている。具体的には、発泡樹脂である発泡プロピレン樹脂や、発泡ポリスチレン樹脂等を用いて一体成形されている。この緑化支援パネル５は、図１〜図３に示すように、平面視四角形状をもって所定厚みをなしており、そのうち、平面視正方形状とされて最も大きい緑化支援パネル５については、その周囲の一辺が５００ｍｍ程度、厚みが５０ｍｍ程度とされている。この緑化支援パネル５には、後述の土壌の配設量を少なくすべく基板部７上に複数の嵩上げ部８が上方に突出した状態で一体的に設けられていると共に、その緑化支援パネル５の上面には、灌水パイプ（図示略）を収納するための収納連続溝の一部を構成する灌水パイプ収納溝９、灌水パイプからの灌水を案内する排水溝１０が形成され、その排水溝１０の底部には、水を緑化支援パネル５の下側に導く排水孔１１が開口されている。これにより、各緑化支援パネル５が栽培領域Ｓに敷き詰められたときには、各緑化支援パネル５の灌水パイプ収納溝９及び排水溝１０がそれぞれ連なって、それらの各連続溝が形成されることになり、そのうちの灌水パイプ収納溝９の連続溝内には長尺な灌水パイプ（図示略）が収納されることになる。この灌水パイプは、その周囲に水を灌水することになり、その灌水された水は、緑化支援パネル５（緑化支援層６）上に配設される土壌上に供給され、そのうち、余剰の水が、排水溝１０、排水孔１１を介して緑化支援パネル５の下側に排水される。
この場合、灌水パイプを設置せず、各自で水やりをしてもよい。
【００２６】
前記緑化支援層６においては、図１〜図３に示すように、各緑化支援パネル５の各角部５ａの周囲に他の緑化支援パネル５の角部５ａが集合され、それらにより角部集合部１２（４枚の緑化支援パネル５の各角部が集合する部分）が複数構成されている。この複数の角部集合部１２は、緑化支援パネル５の一辺の長さ毎に横方向Ｘに順次、配置される角部集合部列群１２Ａを構成しており、その角部集合部列群１２Ａは、縦方向Ｙに間隔をあけて一対設けられている。
【００２７】
前記各角部集合部列群１２Ａにおける各角部集合部１２には、図３〜図５に示すように、その下面側において、各角部集合部１２の集合中心を基準として周囲に広がる平面視略正方形状の下側第１凹所１３と、下側第２凹所１４とが形成されている。下側第１凹所１３は、集合した各緑化支援パネル５における各角部５ａが協働して形成しており、その深さは比較的浅めとされている。下側第２凹所１４も、集合した各緑化支援パネル５における各角部５ａが協働して形成しており、その下側第２凹所１４は、下側第１凹所１３の径よりも縮径された状態をもって、その下側第１凹所１３の底面からさらに深く形成されている。
一方、各角部集合部列群１２Ａにおける各角部集合部１２の上面には、各角部集合部１２の集合中心を基準として周囲に広がる平面視略正方形状の上側凹所１５と、その上側凹所１５の底面から下方に延びる連通路１６とが形成されている。上側凹所１５も、集合した各緑化支援パネル５における各角部５ａが協働して形成しており、その深さは比較的浅く、その平面視上の大きさは下側第１凹所１３の平面視上の大きさよりも大きくされている。連通路１６も、集合した各緑化支援パネル５における各角部５ａが協働して形成しており、この連通路１６は、上側凹所１５と下側第２凹所１４とを比較的短い径をもって連絡している。
【００２８】
前記各角部集合部列群１２Ａにおける各角部集合部１２は、図１、図３〜図５に示すように、固定具１７を用いることにより屋上のスラブ面２に押圧固定されている。固定具１７は、下側留め具１８と、連結板１９と、上側留め具２０とを備えている。
下側留め具１８は、基板部１８ａ上面に筒部１８ｂが上方に突出するようにして設けられ、その筒部１８ｂの内周面には雌ねじ（図示略）が形成されている。この下側留め具１８は、基板部１８ａが下側第１凹所１３内に配置された状態で、屋上スラブ面２に接着剤等を用いることにより固定され（耐根シート３を切除して屋上スラブ面２に固定）、筒部１８ｂは第２凹所１４内に入り込んでいる。
連結板１９は、緑化支援層６よりも剛性が高められた板材（例えば強化プラスチック板）を用いて、前記上側凹所１５に対応して平面視略正方形状に形成されており、この連結板１９の中央部には、肉厚方向に貫通するボルト挿通孔２１が形成されている。この連結板１９は、上側凹所１５内に収納されており、その連結板１９の下面には角部集合部１２における各緑化支援パネル５の角部５ａ上面が当接され、ボルト挿通孔２１は下側留め具１８の筒部開口に上側から臨んでいる。
上側留め具２０としては、本実施形態においては、軸部２０ａが比較的長めとされた長ボルト（上側留め具２０と同符号を用いる）が用いられている。この長ボルト２０は、前記連結板１９の上側から、その連結板１９のボルト挿通孔２１、連通路１６に挿通された上で、筒部１８ｂ内周の雌ねじに螺合されており、長ボルト２０の頭部２０ｂは、連結板１９を介して角部集合部１２（集合した各緑化支援パネル５の角部５ａ）を屋上スラブ面２に押圧固定している。これにより、各緑化支援パネル５が屋上スラブ面２にそれぞれ固定されることになり、複数の緑化支援パネル５により構成される緑化支援層６は、屋上スラブ面２上にしっかりと固定された状態で保持される。これに伴い、緑化支援層６上には、図１，図２に示すように、一対の連結板列群１９Ａが、縦方向に互いに離間した状態をもって配置され、その各連結板列群１９Ａにおいては、複数の連結板１９は、間隔をあけつつ列をなして配置されている。尚、符号２２は、連結板１９の裏面に設けられた位置決めピンであり、この位置決めピン２２は、連結板１９が上述のように角部集合部１２に載置されたときに、各緑化支援パネル５角部に形成された挿入孔（図示略）に挿入されて、連結板１９の位置決めを行うものである。
【００２９】
各連結板列群１９Ａにおける各連結板１９上には、図６に示すように、メッシュ状保護マット２３を介して支持台２４がそれぞれ固定されている。メッシュ状保護マット２３は、上方側からの排水性を確保しつつ、そのメッシュ状保護マット２３上に配設される土壌を耕すに伴い、スコップ、鍬等が緑化支援層６（緑化支援パネル５）に食い込んで緑化支援層６が破損することを防止するために敷設されている。その材質としては、ゴム、樹脂製のものが好ましい。尚、図１〜図５においては、メッシュ状保護マット２３の図示が略されているが、勿論、メッシュ状保護マット２３の敷設を省略してもよい。
【００３０】
前記各支持台２４としては、本実施形態においては、鉄材等の強固な板材を用いて、図３〜図５に示すように、帯板状の底板部２５と、その底板部２５の幅方向両側から起立する一対の側板部２６と、該一対の側板部２６の上端よりもやや低い位置において該一対の側板部２６間を跨ぐ上板部２７と、により一体的に形成された構造体が用いられている。
底板部２５には、その中央において挿通孔２８が形成されており、その挿通孔２８は、底板部２５をその肉厚方向（上下方向）において貫通している。
各側板部２６は、その上下方向長さ（高さ）が、図７に示すように、緑化支援層６上に配置される土壌２９の深さ（厚み）を考慮して決められており、その上下方向長さＨ１は、本実施形態においては、１００ｍｍ前後に設定されている。この各側板部２６には、図４に示すように（図３、図５においては図示略）、底板部２５の延び方向中央であってその底板部２５の上下方向中央よりもやや低い位置において、挿通孔３０がそれぞれ形成されており、その両挿通孔３０は、対向した状態で配置されている。また、各側板部２６における上端部内面には、突部３１が一体的にそれぞれ設けられている。この各突部３１は、対向する相手方の側板部２６の突部３１に向けて突出されており、その各突部３１は、側板部２６の延び方向（底板部２５の延び方向）全長に亘って延びている（図４参照）。
上板部２７には、底板部２５の延び方向中央において、比較的大きな挿通孔３２が形成されており、その挿通孔３２は、前記挿通孔２８の上方に位置されている（図３、図５参照）。
【００３１】
前記支持台２４は、図３〜図５に示すように、その底板部２５の延び方向を横方向Ｘに向けつつ前記各連結板１９上にそれぞれ固定されている。本実施形態においては、前記長ボルト２０が共通の留め具として利用されており、長ボルト２０は、支持台２４における底板部２５の挿通孔２８、連結板１９のボルト挿通孔２１等を通って下側留め具１８における筒部１８ｂ内周の雌ねじに螺合されている。これにより、緑化支援層６上には、一対の支持台列群２４Ａが、縦方向Ｙに互いに離間した状態をもって配置されることになり、その各支持台列群２４Ａにおいては、複数の支持台２４は、間隔をあけつつ列をなすように立設配置され、その両支持台列群２４Ａの支持台２４は、互いに対向するように配置される。
【００３２】
前記各支持台列群２４Ａ上には、図１〜図７に示すように、長尺部材としての受けレール３３が、支持台列群２４Ａの延び方向に延びるようにしてそれぞれ設けられている。この受けレール３３は、使用時に、土壌２９から露出して野菜の栽培領域を区画すると共に、栽培者の栽培作業時の足場ともなるものである。この受けレール３３としては、本実施形態においては、各支持台２４における一対の側板部２６上端に支持される幅広状の帯板部３４と、その帯板部３４の幅方向両側から下方に垂下する一対の側壁部３５と、を一体的に備えたものが用いられている。
【００３３】
帯板部３４は、一定幅をもってその延び方向に数ｍに亘って延び、その表面は平坦面をもって水平状態に維持されている。この帯板部３４の裏面には、一対の起立壁部３４ａが設けられている。この一対の起立壁部３４ａは、帯板部３４の幅方向内方側において、間隔をあけて帯板部３４の延び方向に延びており、その各起立壁部３４ａは、帯板部３４が一対の側板部２６の上端により支持されている状態において、各側板部２６の突部３１先端に当接されている。これにより、帯板部３４は、その幅方向（図４中、左右方向）に移動することが規制され、帯板部３４はその幅方向において位置決めされている。この帯板部３４は、図７に示すように、使用時に、土壌２９から露出される。
【００３４】
一対の側壁部３５は、互いに対向した状態で帯板部３４全長に亘って延びている。このため、この一対の側壁部３５と前記帯板部３４とは、各支持台２４の上部に覆いかぶさっている。
【００３５】
また、本実施形態においては、前記帯板部３４及び一対の側壁部３５の表面は、被覆材により被覆されている。この被覆材は木目状模様をしており、それに基づき周囲環境との調和が図られている。また、被覆材の被覆は、帯板部３４及び一対の側壁部３５の表面が過熱状態になることを防止する。
これにより、図１、図６、図７に示すように、一対の受けレール３３が間隔をあけつつ（１畝タイプ）平行に延びることになる。尚、受けレール３３をその延び方向に継ぎ足すときには、載置台（図示略）をその隣り合う受けレール３３の端部の下側に配置し、その両端部を載置台により支えることが好ましい。
【００３６】
前記各支持台列群２４Ａにおける各支持台２４の上端面には、図３〜図５、図８、図９に示すように、保持部としての保持部材３６がそれぞれ設けられている。本実施形態においては、保持部材３６を支持台２４に取付けるために、前記受けレール３３の帯板部３４に、各支持台２４の上方領域において、比較的大きめの取付け孔３７と位置決め孔３８とがそれぞれ形成されている。取付け孔３７は、各支持台２４における上板部２６の挿通孔３２とほぼ同じ平面視円形状の大きさとしつつ、その上板部２６の挿通孔３２に対向されている。この取付け孔３７には、一対の案内孔３９が形成されており、その一対の案内孔３９は、対向配置された状態で取付け孔３７からその径方向外方に溝状の形状をもって延長するように形成されている。一対の案内孔３９は、その配列方向が受けレール３３の幅方向（図８中、上下方向）に対して図８中、反時計方向に所定角度傾斜され、その一対の案内孔３９のいずれもが、受けレール３３における一対の起立壁部３４ａ間内に配置されている。位置決め孔３８は、受けレール３３の帯板部３４に取付け孔３７の周囲において、円孔をもって２つ設けられており、それら位置決め孔３８は、取付け孔３７の中心を通って受けレール３３の幅方向に延びる基準線を基準として、左右対称に配置されている。
【００３７】
前記保持部材３６は、円柱状の挿入部４０と、その挿入部４０の基端側（一端側）にその挿入部４０よりも拡径した状態で設けられる拡径部４１とを一体的に備えている。挿入部４０は、その径が前記受けレール３３の取付け孔３７及び上板部２６の挿通孔３２の径とほぼ同じか、それよりもやや小さめとされ、その軸線方向長さが、受けレール３３の取付け孔３７及び上板部２６の挿通孔３２間の長さよりも長くされている。この挿入部４０の外周面には一対の係止突起４２が、その挿入部４０の基端からその挿入部４０の軸線方向内方側に向けた所定距離位置において設けられており、その一対の係止突起４２は、挿入部４０の軸線を間に挟んで対向配置されている。このため、挿入部４０は、受けレール３３の取付け孔３７から支持台２４における上板部２６の挿通孔３２を超えて下側にまで挿入され、その挿入部４０を受けレール３３の取付け孔３７及び上板部２６の挿通孔３２に対して挿入するに際しては、一対の係止突起４２を受けレール３３における一対の案内孔３９に挿入することが行われる（図８矢印により取付け参照）。
【００３８】
拡径部４１は、図３〜図５、図８、図９に示すように、受けレール３３における取付け孔３７の径よりも大きくされている。これにより、拡径部４１は、受けレール３３における取付け孔３７周縁部に着座されており、このとき、前記一対の係止突起４２は、受けレール３３における一対の起立壁部３４ａ間内において、その一対の起立壁部３４ａ先端及び一対の突部３１よりもやや低い位置に位置することになっている。本実施形態においては、拡径部４１は、上面部４１ａと、その上面部４１ａの周縁部を下方に垂下する周壁部４１ｂと、を一体的に備えた構成とされており、前記挿入部４０の基端（図中、上端）は、周壁部４１が区画する空間を通って上面部４１ａの裏面に一体的に結合されている。
【００３９】
上記拡径部４１の上面部４１ａには，図３、図８〜図１０に示すように、帯状の片持ち片４３が、その周囲を切り抜くことにより形成されている。片持ち片４３は、拡径部４１の径方向であって、前記一対の係止突起４２を結ぶ基準線に対して直交する方向に延びており、その片持ち片４３の基端部は撓み支点として拡径部４１の径方向内方側に位置され、その先端部は挿入部４０よりも径方向外方側に位置されている。この片持ち片４３の先端部下面には位置決め突部４４が下方に突出するように設けられている。位置決め突部４４は、片持ち片４３の先端部下面から拡径部４１の周壁部先端近傍の位置まで突出する第１突部４４ａと、その第１突部４４ａの下面から、前記位置決め孔３８に嵌合できる大きさをもって、拡径部４１の周壁部先端よりも下方に突出される第２突部４４ｂとを一体的に備えており、第２突部４４ｂは第１突部４４ａよりもやや径方向内方に引っ込んだ状態とされ、第１突部４４ａと第２突部４４ｂとの間には段差部４４ｃが形成されている。拡径部４１の周壁部には、この段差部４４ｃが臨む部分において、切欠き孔４６が形成されており、段差部４４ｃは、切欠き孔４６を介して外部から視認できることになっている。
【００４０】
この片持ち片４３の第２突部４４ｂは、上述のように、挿入部４０が受けレール３３の取付け孔３７及び上板部２６の挿通孔３２に挿入されて拡径部４１が受けレール３３の取付け孔周縁部に着座している状態の下で、前記位置決め孔３８に嵌合されている。この位置決め孔３８への片持ち片４３の第２突部４４ｂの嵌合状態は、上述のように、挿入部４０が受けレール３３の取付け孔３７及び上板部２６の挿通孔３２に挿入されて拡径部４１が受けレール３３の取付け孔３７周縁部に着座している状態の下で、保持部材３６を、その挿入部４０の軸線を中心として、その一対の係止突起４２の配列方向が受けレール３３における帯板部３４の幅方向に向くように回動（スライド）させることにより得られる。これに伴い、一対の係止突起４２が、支持台２４における一対の側板部２６の突部３１及び一対の起立壁部３４先端の下側にそれぞれ入り込んで係止されることになり、位置決め孔３８に片持ち片４３の第２突部４４ｂが嵌合しているときには、一対の係止突起４２と拡径部４１とは、一対の突部３１及び受けレール３３の帯板部３４を挟持する状態となる。これにより、保持部材３６は、帯板部３４上において回動不能な状態をもって、受けレール３３、支持台２４と共に一体化することになり、保持部材３６は、支持台２４に対する受けレール３３の留め具としても機能する。
尚、符号４７は、拡径部４１における上面部４１ａに形成される開口であり、符号４８は、一対の各係止突起４２に設けられて、その一対の係止突起４２が一対の突部３１下面に係止されるときに案内機能を発揮する案内面（傾斜面）である。
【００４１】
上記保持部材３６を取り外すに際しては、図１２に示すように、切り欠き孔４６が利用される。切り欠き孔４６からドライバー等の工具５８を差し入れ、それを第１突部４４ａと第２突部４４ｂとの間の段部にいれ、片持ち片４３を上方に持ち上げる。これにより、位置決め孔３８から位置決め突部４４（第２突部４４ｂ）が抜け出ることになり、保持部材３６の回動規制が解除される。この後、保持部材３６をその軸心延び方向を中心として回動させれば、係止突起４２が上板部２７等との係止関係を解除することになり、一対の案内孔３９に係止突起４２を合わせた状態で引き抜けば、保持部材３６は、受けレール３３から取り外される。
【００４２】
前記拡径部４１の上面部４１ａには、図３〜図５，図８〜図１１に示すように、保持穴４９が開口されている。保持穴４９は、拡径部４１から挿入部４０へと略同一形状を維持しつつ延びており、その保持穴４９は、挿入部４０の先端面を閉塞状態とすることにより底部４９ａが構成されている。但し、この保持穴４９の底部４９ａには、複数の水抜き孔（図示略）が形成されており、この保持穴４９内に雨水等が入っても、その雨水等は、複数の水抜き孔から外部に排出される。この保持穴４９は、受けレール３３（帯板部３４）の幅方向内方側から幅方向外方側に向かうに従って徐々にその保持穴４９の幅が狭まるように延びる長孔とされており、その保持穴４９の幅（長孔の短軸方向幅）は、受けレール３３の幅方向内方側において、太めのハウス栽培用アーチ状骨材端部５０Ａを余裕をもって挿入できる大きさに設定されている（初期挿入穴部の構成）。このため、ハウス栽培用アーチ状骨材５０の端部５０Ａは、受けレール３３の幅方向内方側において挿入した後、その状態で受けレール３３の幅方向外方側に移動させようとした場合、その骨材端部５０Ａの移動が、その骨材端部５０Ａの径に応じて、保持穴の対向する内壁により規制されることになっている。つまり、受けレール３３の幅方向外方側に向かうに従って狭まる保持穴４９の対向する内壁が、受けレール３３の幅方向外方側へ向かおうとする骨材端部５０Ａの受け面（規制面）となっている。
【００４３】
本実施形態においては、太めのハウス栽培用アーチ状骨材５０（２畝用）の端部５０Ａと、細めのハウス栽培用アーチ状骨材５０（１畝用）の端部５０Ａとを考慮して、それらをそれぞれ受け止めるべく、保持穴４９の対向する内壁に、全体的に相手方に向けて多少、張り出した状態（突出した状態）の第１，第２の一対の帯状受け部５１，５２が形成されている。第１の一対の帯状受け部５１は、受けレール３３の幅方向略中央部分において、太めのハウス栽培用アーチ状骨材端部５０Ａをできるだけ広い面をもって的確に受け止めるべく、湾曲しつつ帯状をもって上下方向に延びており、第２の一対の帯状受け部５２は、第１の一対の帯状受け部５１よりも受けレール３３の幅方向外方側において、細めのハウス栽培用アーチ状骨材端部５０Ａ（１畝用）をできるだけ広い面をもって的確に受け止めるべく、湾曲しつつ帯状をもって上下方向に延びている。この第１，第２の帯状受け部５１，５２の各下端面は、保持穴４９の他の内壁に対して段差をもって形成されて、ストッパ面５１ａ、５２ａを構成しており、その第１の帯状受け部５２のストッパ面５２ａと保持穴４９の底部４９ａとの間の上下長さは、第２の帯状受け部５２のストッパ面５２ａと保持穴４９の底部４９ａとの間の上下長さよりも長くなっている。この場合、保持穴４９のうち、第１，第２の一対の帯状受け部５１，５２の存在領域が主部進入穴部を構成し、保持穴４９のうち、第１，第２の一対の帯状受け部５１，５２の下端（ストッパ面５１ａ、５２ａ）と保持穴底部４９ａとの間の領域が先端部進入穴部を構成する。
【００４４】
前記一対の受けレール３３における対向配置される複数組の両保持部材３６には、図１に示すように、ハウス栽培用アーチ状骨材５０の端部５０Ａがそれぞれ保持されている。アーチ状骨材５０は、拡縮可能な部材により形成されており、その各端部５０Ａは、大径とされた先端部５３と、その先端部５３の径よりも若干縮径された状態で連なる主部５４の端部と、により構成され、その先端部５３と主部５４の端部とにより段部５５が形成されている。また、ハウス栽培用アーチ状骨材５０には、主部５４の径が太めのものと、主部５４の径が細めのものの２種類が用意されており、太めのハウス栽培用アーチ状骨材５０が２畝用とされ、細めのハウス栽培用アーチ状骨材５０が１畝用とされている。
【００４５】
このような各アーチ状骨材５０は、その各端部５０Ａが、一対の受けレール３３における対向配置される複数組の両保持部材３６の保持穴４９に多少、縮径させた状態（弾発付勢状態）で挿入されている。本実施形態においては、図１，図２，図６に示すように、アーチ状骨材５０としては細めのもの（１畝用）が用いられており、その各端部５０Ａにおける主部５４の端部は、一対の受けレール３３の並設方向外方に向けて付勢された状態をもって第２の一対の帯状受け部５２に付勢状態をもって受け止められている。しかも、骨材５０の先端部５３と主部５４の端部との間の段部５５（抜け止め段部）が第２の一対の帯状受け部５２のストッパ面５２ａ（係止段部）に当接され、骨材の各先端部５３は、帯状受け部５２のストッパ面５２ａと保持穴４９の底部４９ａとにより挟持されて上方への抜けが規制されている。これにより、１畝用各アーチ状骨材５０の両端部は、保持部材３６を介して強固な支持台２４にしっかりと保持されている。このような保持状態は、各アーチ状骨材５０の端部５０Ａを多少、縮径させた状態（両端部を近づけた状態）にした上で、その両端部を保持穴４９の初期挿入穴部からその保持穴４９内に所定深さ（本実施形態においては、各アーチ状骨材５０の端面が保持穴４９の底部４９ａに当接する状態）まで挿入し、そこで、各アーチ状骨材５０に対する外力を解除して、各アーチ状骨材５０の端部を復帰させれば、各アーチ状骨材５０に対する第２の一対の帯状受け部５２による保持と抜け止めが行われることになる。
【００４６】
一方、図１３，図１４に示すように、一対の受けレール３３間の間隔を拡げて２畝とする場合には、強度を確保すべく、アーチ状骨材５０として、主部５４等が太めのものが用いられる。前述と同様の組み付け方法により、各アーチ状骨材５０の両端部は、一対の受けレール３３の並設方向外方に向けて付勢された状態をもって各保持穴４９における第１の一対の帯状受け部５１，５２に保持され、骨材５０の先端部と主部５４の端部との間の段部５５（抜け止め段部）が、第１の一対の帯状受け部５１のストッパ面５１ａに当接して、アーチ状骨材５０の両端部が保持穴４９から抜けることが規制される。
このときには、そのアーチ状骨材５０を多少、縮径した状態で、その各端部５０Ａを一対の受けレール３３における保持穴４９に挿入することにより、その各端部５０Ａにおける主部５４が第１の一対の帯状受け部５１に付勢状態をもって受け止められ、先端部５３と主部５４との段部５５が第１の一対の帯状受け部５１のストッパ面５１ａ下端に当接されている。これにより、アーチ状骨材５０の両端部は、一対の受けレール３３の並設方向外方に向けて付勢された状態をもって保持穴４９の内周面に保持され、このとき、先端部５３と主部５４との間の段部５５と第１の一対の帯状受け部５１のストッパ面５１ａとの当接関係により、アーチ状骨材５０の両端部が保持穴４９から抜けることが規制されることになる。
尚、図１，図２，図６，図１３等において、符号９０は、アーチ状骨材５０の上に被せるビニールや寒冷紗を簡易的に示している。
【００４７】
前記各支持台２４の側板部２６には、図１、図４に示すように、フック部材５６がそれぞれ取付けられている。フック部材５６は、棒材を加工することにより形成されており、そのフック部材５６は、直線状に延びる取付け部５６ａと、その取付け部５６ａに対して略直角に曲げられた後、再び、フック状に曲げられるフック部５６ｂとを一体的に備え、その取付け部５６ａの外周面には、雄ねじ５６ｃが形成されている。
このようなフック部材５６は、その取付け部５６ａが支持台２４の一対の側板部２６における両挿通孔３０に跨るように通され、その状態は、取付け部５６ａの雄ねじ５６ｃに螺合されて各側板部２６の外面に当接されるナット５９により保持されている。このとき、フック部５６ｂは、取付け部５６ａよりも上方側に配置されている。
【００４８】
前記栽培領域Ｓにおける緑化支援層６上には、図７，図１４に示すように、土壌２９が盛られている。このとき、土壌２９は、基本的に、一対の受けレール３３の帯板部３４の高さＨ１（例えば緑化支援層６から１００ｍｍ前後）まで盛られ、一対の受けレール３３間においては、その土壌２９に加えて、その一対の受けレール３３の並設方向内方に向かうに従って高くなるように土壌２９がさらに盛られ（図１４では２山）、最も高い高さＨ２個所では、緑化支援層６から１５０ｍｍ前後の高さとされている。
【００４９】
前記緑化支援構造においては、野菜を栽培するにあたっては、保温や虫除けのために、一対の受けレール３３上の各保持部材３６にアーチ状骨材５０がそれぞれ保持され、その複数のアーチ状骨材５０を利用してビニールや寒冷紗（図示略）を被せられる。このとき、このビニールや寒冷紗には、飛散防止を図るべく、その上側から、フック部材５６のフック部５６ｂを利用して、ひも５７が掛けられる。
【００５０】
したがって、上記緑化支援構造においては、アーチ状骨材５０の端部５０Ａを保持するものとして、緑化支援層６よりも剛性が高く、しかも、屋上スラブ面２に緑化支援層６を介してしっかりと固定された支持台２４が用いられることになり、アーチ状骨材５０の端部５０Ａを強固に保持できる。
また、アーチ状骨材５０の端部５０Ａを保持する保持部材３６は、緑化支援層６上に立設される支持台２４の上端面に設けられることにより、土壌２９に埋もれることが抑制され、その保持部材３６の視認性を高めることができる。
【００５１】
この保持部材３６を取り外す場合には、図１２に示すように、切欠き孔４６を介して段差部４４ｃに対して、ドライバー等の工具５８を用いることにより外部から解除操作を行うことになる。
【００５２】
図１５〜図２０は第２実施形態、図２１〜図２４は第３実施形態を示す。この第２，第３実施形態において、前記第１実施形態と同一構成要素については同一符号を付してその説明を省略する。
【００５３】
図１５〜図２０に示す第２実施形態は、第１実施形態に係る支持台２４の簡易化を図ったものを示す。この第２実施形態に係る支持台２４は、角パイプを切断して形成されており、その支持台２４には、一定幅を維持する平面視略正方形状の底板部６０と、その底板部６０の一方の組の幅方向両側からそれぞれ起立する一対の側板部６１と、その一対の側板部６１の上端部を跨ぐ上板部６２と、が一体的に備えられている。この支持台２４は、その一対の側板部６１の並設方向が縦方向Ｙ（一対の支持台列群の接近・離間方向）に向けた状態で各連結板列群１９Ａにおける各連結板１９上に固定されている。
【００５４】
上記各支持台２４には、保持部として、上板部６２に形成される長孔６３と、支持台２４内に収納保持されるガイド部材６４と、が設けられている。長孔６３は、縦方向Ｙ（一対の支持台列群の接近・離間方向）に延びており、その長孔６３は、その延び方向一方側（一対の支持台列群２４Ａの離間方向内方側）において、ハウス栽培用アーチ状骨材５０の端部５０Ａを遊嵌状態をもって挿入する初期挿入孔部６５と、その初期挿入孔部６５から連続して長孔６３の延び方向他方側に向かうに従ってその長孔６３の長孔幅が狭まる保持孔部６６と、を有している。保持部６６は、本実施形態においては、アーチ状骨材５０における端部５０Ａの２種類の径を考慮して、その長孔幅が、その延び方向他方側に向かって２段階に亘って狭まっており、これにより、その長孔６３の対向内周面は、第１受け部６７、第２受け部６８を構成している。
【００５５】
上記ガイド部材６４は、図１７、図１８に示すように、一対のガイド壁部６９と、その一対のガイド壁部６９の先端部を一体的に連結する連結板部７０と、からなる。連結板部７０は平板からなり、その連結板部７０は、支持台２４内において、一対の側板部６１のうち、長孔６３の延び方向他方側の内面に合わせた状態で、その側板部６１に留めねじ７１により固定されている。符号７２は、側板部６１、連結板部７０に形成された留めねじ７１のための取付け孔である。
一対のガイド壁部６９は、前記長孔６３の幅方向両側に位置するようにしつつ、連結板部７０の内面から離間する方向に延びており、その一対のガイド壁部６９においては、長孔６３の第１、第２受け部６７，６８に対応して、一対のガイド壁部６９の間隔は、第１間隔部７３と、その第１間隔部７３よりも狭い第２間隔部７４とに設定されている。そして、第１間隔部７３と第２間隔部７４との間には段差部７５が形成され、第２間隔部７４における両対向内周面にはストッパ壁７６がそれぞれ突設されている（図１７、図１９参照）。これにより、長孔６３を介して支持台２４内にアーチ状骨材５０の端部５０Ａが挿入された場合には、その挿入時における反発力に基づいて復帰しようとする端部５０Ａは、径が太目のものに関しては、その段差部７５により、長孔６３の第１受け部６７と共に受け止められ、径が細めのものに関しては、ストッパ壁７６と第２受け部６８とにより受け止められる。
また、この一対のガイド壁部６９の間隔（第１、第２間隔部７３，７４の間隔）が、長孔６３の幅方向長さ（第１、第２受け部６７，６８）よりも長くされている。このため、この第２実施形態においても、各ガイド壁部６９の内壁と長孔６３の内周面との間に係止段部が形成されており、この係止段部とアーチ状骨材５０端部５０Ａの段部５５とによりアーチ状骨材５０端部５０Ａの抜け止めが行われる。
【００５６】
したがって、この第２実施形態においても、図２０に示すように、一対の支持台列群２４Ａにおける支持台２４の保持部にアーチ状骨材５０の端部５０Ａを適正に保持することができ、そのアーチ状骨材５０を利用して、野菜７７を栽培するためにビニールや寒冷紗（図示略）を被せることができる。
【００５７】
図２１〜図２４に示す第３実施形態は、第２実施形態に係る支持台２４の変形して、栽培領域幅の拡大を図ったものを示す。
【００５８】
この第３実施形態においては、各支持台２４として、角パイプ状に延ばされたものが用いられている。この支持台２４は、その延び方向一端側の下部が、前記連結板１９、前記緑化支援層６を介して屋上スラブ面２に前述のボルト２０等を利用して固定されており、その支持台２４の延び方向他端側が一対の支持台列群の離間方向外方に向けられている。この支持台２４の延び方向他方側にも、アーチ状骨材５０の端部５０Ａを保持するための保持部として、長孔６３とガイド部材６４とが設けられている。長孔６３は、支持台２４の延び方向他端側の上板部６２において、その延び方向を支持台２４の延び方向に向くようにして形成され、その長孔６３の保持孔部６６は、初期挿入孔部６５よりも支持台２４の延び方向外方に位置されている。ガイド部材６４は、支持台２４内にその延び方向他端側において設けられており、そのガイド部材６４は一対のガイド壁部６９を有している。この一対のガイド壁部６９には、その一対のガイド壁部６９をその先端において連結するための連結板部が設けられておらず、その一対のガイド壁部６９間は、支持台２４の延び方向他端側開口を介して外部に開放されている。しかし、一対のガイド壁部６９間の間隔は、支持台２４の延び方向外方に向かうに従って狭まっており、長孔６３を介して一対のガイド壁部６９間に挿入されたアーチ状骨材５０の端部５０Ａは、その支持台２４の延び方向外方側への移動に関し、一対のガイド壁部６９（端部５０Ａの径と等しい間隔部分）により規制を受けることになっている。このため、アーチ状骨材５０の端部５０Ａを支持台２４に保持できるだけでなく、使用に際して、土壌２９が長孔６３から支持台２４内に進入しても、その土壌２９を棒材等を用いて支持台２４の延び方向外方側に押し出すことができ、一対のガイド壁部６９間を、ハウス栽培用アーチ状骨材５０の端部５０Ａが保持できる状態に早期に戻すことができる。
この場合、ガイド部材６４により一種類のアーチ状骨材５０の端部だけの移動規制を行う場合には、一対のガイド壁部６９間の間隔をその端部５０Ａの径よりも狭めて、長孔６３の初期挿入孔部６５から挿入された端部５０Ａがその一対のガイド壁部６９により規制されるようにしてもよい。
尚、本実施形態においては、一対のガイド壁部６９は、支持台２４の延び方向内方側において、湾曲状の連結部８１により連結されており、ガイド部材６４は、平面視略Ｕ字状に形成されている。このガイド部材６４が、ねじ具７８により支持台２４の上板部２７に固定されている。
【００５９】
これにより、この第３実施形態においては、図２１に示すように、アーチ状骨材５０の保持部（長孔６４等）の位置を一対の支持台列群２４Ａの離間方向外方に配置して、アーチ状骨材５０の両端部５０Ａを保持する間隔を拡大することができる（大型のアーチ状骨材５０を用いることができる）。これに伴い、野菜等の栽培領域幅を拡大でき、多くの野菜を栽培することができる。
【００６０】
また、一対のガイド壁部６９の下端は、図２３に示すように、支持台２４の底板部６０から所定間隔Ｔ、離間されている。これにより、土壌２９が長孔６３を介して一対のガイド壁部６９間に進入した場合、その一対のガイド壁部６９間が比較的狭く、一対のガイド壁部６９間で土壌がいわゆるブリッジを形成して詰まり易い状況にあるが、仮に土壌２９が詰まっても、その土壌２９を棒材等により一対のガイド壁部６９下端よりも下方側の広い空間に簡単に落とし込むことができる。また、それを支持台２４の延び方向他端側開口側に押し出すこともできることになる。このため、一対のガイド壁部６９間に土壌２９が詰まっても、ハウス栽培用アーチ状骨材５０の端部５０Ａを保持できる状態に直ぐに戻すことができる。
【００６１】
さらに、この支持台２４の上板部２７にも、ひもを掛けるフック部材５６が留め具８０を用いて取付けられているが、この留め具８０の一部が、一対のガイド壁部６９を支持台２４の上板部２７の裏面に固定するためのねじ具７８を兼ねている。このため、留め具８０の有効利用を図ることができる。
【００６２】
さらに本実施形態においては、連結板１９の上面に複数のリブ８２が放射状に突設され、ボルト２０が、共通の留め具として、連結板１９の複数のリブ８２の放射中心部を貫通した状態で、支持台２４の延び方向一端側を屋上スラブ面２に固定している。その一方、支持台２４の下面に回動規制部材としてボルト８３が取付けられており、そのボルト８３は、連結板１９の隣り合うリブ８２間に配置されている。このため、支持台２４は、角パイプ状に延びていて、ボルト２０を中心として、支持台２４の延び方向他端側が回動し易い状況にあるが、ボルト８３が連結板１９のリブ８２の側面に当接していて、支持台２４の延び方向他端側がボルト２０を中心として回動することが防止されている。
【００６３】
以上実施形態について説明したが、固定具１７のうち、下側留め具１８の基板部１８ａが屋上スラブ面２に固定されない態様であってもよい。すなわち、上記各実施形態においては、下側留め具１８の基板部１８ａが屋上スラブ面２に接着剤等により固定されることになっているが、その固定を行わず、基板部１８ａ（連結下板）と連結板１９とが、長ボルト２０により角部集合部１２（緑化支援パネル５）を挟持するようにしてもよい。これにより、各緑化支援パネル５を連結した一体化物（緑化支援層）を形成できると共に、その大きな一体化物に各支持台２４を固定できる。このため、屋上スラブ面２に対する各支持台２４の安定化を図ることができる。勿論このとき、各緑化支援パネル５は、その上面側に配設される土壌２９の荷重によっても屋上スラブ面２に押圧固定される。
【００６４】
尚、本発明の目的は、明記されたものに限らず、実質的に好ましい或いは利点として記載されたものに対応したものを提供することをも含むものである。
【符号の説明】
【００６５】
１  屋上緑化構造
２  屋上スラブ面（屋上床面）
５  緑化用支援パネル
６  緑化支援層
１２  角部集合部
１７  固定具
１８  下側留め具
１８ａ  基板部（連結下板）
１９  連結板
１９Ａ  連結板列群
２０  上側留め具
２４  支持台
２４Ａ  支持台列群
２９  土壌
３６  保持部材（保持部）
４９  保持穴（保持部）
５０  ハウス栽培用アーチ状骨材
５０Ａ  ハウス栽培用アーチ状骨材の端部
５３  ハウス栽培用アーチ状骨材における端部の先端部
５４  ハウス栽培用アーチ状骨材における主部
５５  段部（抜け止め段部）
６０  底板部
６１  側板部
６２  上板部
６４  ガイド部材
６５  初期挿入孔部
６６  保持孔部
６９  一対のガイド壁部（一対のガイド壁）
８２  リブ
８３  ボルト（回動規制部材）
Ｔ 所定間隔
【図１】
2012254035.tif 000003
【図２】
2012254035.tif 000004
【図３】
2012254035.tif 000005
【図４】
2012254035.tif 000006
【図５】
2012254035.tif 000007
【図６】
2012254035.tif 000008
【図７】
2012254035.tif 000009
【図８】
2012254035.tif 000010
【図９】
2012254035.tif 000011
【図１０】
2012254035.tif 000012
【図１１】
2012254035.tif 000013
【図１２】
2012254035.tif 000014
【図１３】
2012254035.tif 000015
【図１４】
2012254035.tif 000016
【図１５】
2012254035.tif 000017
【図１６】
2012254035.tif 000018
【図１７】
2012254035.tif 000019
【図１８】
2012254035.tif 000020
【図１９】
2012254035.tif 000021
【図２０】
2012254035.tif 000022
【図２１】
2012254035.tif 000023
【図２２】
2012254035.tif 000024
【図２３】
2012254035.tif 000025
【図２４】
2012254035.tif 000026